(57)【要約】    【課題】      異なる複数の系列から異なるタイミングでデータ列群が送信された場合でも、送信されるデータ列群から希望する系列のタイミングの取得を容易に、且つ、確実に行うこと。    【解決手段】  送信装置１００−１〜１００−ｎの第１生成部１０１は、受信装置１５０において相関を取ることができる信号を生成する。第２生成部１０２は、受信装置１５０において相関をとることができない信号を生成する。信号合成部１０３は、第１生成部１０１および第２生成部１０２によって生成された信号を所定の組み合わせパターンに従って時系列に合成する。送信部１０４は、信号合成部１０３によって合成された信号を送信する。  【選択図】      図２
2005286858.tif 000002
【特許請求の範囲】
【請求項１】
受信側において相関を取ることができる信号を生成する第１生成手段と、
受信側において相関を取ることができない信号を生成する第２生成手段と、
前記第１生成手段および前記第２生成手段によって生成された信号を、所定の組み合わせパターンに従って時系列に合成する合成手段と、
前記合成手段によって合成された信号を送信する送信手段と、
を有することを特徴とする送信装置。
【請求項２】
前記合成手段は、
自装置からの信号に基づく相関結果が特徴的となる期間において他の送信装置からの信号に基づく相関結果が特徴的とならないまたは低頻度で特徴的となるような組み合わせパターンに従って、前記信号の合成を行う、
ことを特徴とする請求項１記載の送信装置。
【請求項３】
前記合成手段は、
自装置からの信号に基づく相関結果が特徴的とならない期間において他の送信装置からの信号に基づく相関結果が特徴的となるまたは高頻度で特徴的となるような組み合わせパターンに従って、前記信号の合成を行う、
ことを特徴とする請求項１記載の送信装置。
【請求項４】
自装置が属する無線通信システムにおいて、任意の送信装置で用いられる組み合わせパターンと、任意の送信信号または送信装置に割り当てられるパラメータとの対応関係を記憶する記憶手段と、
前記記憶手段に記憶された対応関係に従って、割り当てられたパラメータに対応する組み合わせパターンを選択する選択手段と、を有し、
前記合成手段は、
前記選択手段によって選択された組み合わせパターンに従って、前記信号の合成を行う、
ことを特徴とする請求項１記載の送信装置。
【請求項５】
請求項１記載の送信装置から送信された信号を受信する受信手段と、
前記送信装置で用いられる組み合わせパターンに対応する相関処理用の間隔を記憶する第１記憶手段と、
受信された信号に対して、前記第１記憶手段に記憶された間隔に従って相関処理を行う相関手段と、
前記相関手段の相関処理結果に基づいて、信号のタイミングを推定する第１推定手段と、
を有することを特徴とする受信装置。
【請求項６】
自装置が属する無線通信システムにおいて、任意の送信装置で用いられる組み合わせパターンと、任意の送信信号または送信装置に割り当てられるパラメータとの対応関係を記憶する第２記憶手段と、
前記相関手段の相関処理結果および前記記憶手段に記憶された対応関係に基づいて、前記パラメータを推定する第２推定手段と、
をさらに有することを特徴とする請求項５記載の受信装置。
【請求項７】
送信装置と受信装置を有する無線通信システムであって、
前記送信装置は、
前記受信装置において相関を取ることができる信号を生成する第１生成手段と、
前記受信装置において相関を取ることができない信号を生成する第２生成手段と、
前記第１生成手段および前記第２生成手段によって生成された信号を、所定の組み合わせパターンに従って時系列に合成する合成手段と、
前記合成手段によって合成された信号を送信する送信手段と、を有し、
前記受信装置は、
前記送信装置から送信された信号を受信する受信手段と、
前記送信装置で用いられる組み合わせパターンに対応する相関処理用の間隔を記憶する記憶手段と、
受信された信号に対して、前記記憶手段に記憶された間隔に従って相関処理を行う相関手段と、
前記相関手段の相関処理結果に基づいて、信号のタイミングを推定する推定手段と、
を有することを特徴とする無線通信システム。
【発明の詳細な説明】
【技術分野】
【０００１】
本発明は、送信装置において一意に発生させた波形の繰り返し特性を受信側で相関により検出して情報シンボル同期を確立できる送信装置、受信装置および無線通信システムに関する。
【背景技術】
【０００２】
一般的に、無線通信では、受信側は、送信されるデータを復元するために、単位として扱われる一定の時間のタイミングを観測できなければならない。例えば、送信側と受信側で前記タイミングを予め伝達する技術がある。また、受信側が検出可能な既知の信号（例えば、パイロット信号）や、相関や拡散・逆拡散、符号・復号処理等の信号処理によって検出可能なデータを送信する際に、前記単位時間の所定の場所に挿入して伝達する技術がある。
【０００３】
シンボルデータ当たりの周期性を必要とする移動無線通信の分野では、マルチパスにより生じる受信側でのタイミングの遅れた複数の信号の合成から発生する周期性の乱れを抑えるために、周期性を満たす信号の後半部分の複製を当該シンボルの前に挿入（ガードインターバル処理）し、このデータを送信することで周期性を確保する方法が用いられている。この複製挿入したデータによって生じる定期的な自己相関の特性を受信側で取得することにより、受信側では、タイミングについての指標の無い状態から前記タイミングを推定し、シンボル位置を取得している。
【０００４】
この取得した自己相関の特性を基に信号におけるシンボル位置検出のためのタイミングを推定する方法は、例えば、特許文献１に示すように、特にＣＤＭＡ（Code Division Multiple Access）方式の通信において広く用いられている。このＣＤＭＡ方式の通信では、例えば、特許文献２や特許文献３に示すように、ショートコードを利用した信号処理を加えることでより高速な相関特性の取得を行う方法が用いられている。
【特許文献１】特開平８−３２４７０号公報
【特許文献２】特開平１１−８６０７号公報
【特許文献３】特開平１１−８８２９５号公報
【発明の開示】
【発明が解決しようとする課題】
【０００５】
上記従来の方法を用いて受信側で自己相関を取得する場合、１系列のデータ列に対する処理を基本としているため、異なる複数の系列から異なるタイミングで送信されるデータ列群から希望する系の自己相関特性を取得する必要がある。
【０００６】
しかし、前記複数の系列それぞれの信号からの自己相関値が重複して存在するために個々の相関特性が取得し難いという問題がある。このように相関特性が取得し難いと、通信に必須である情報シンボル同期を確立しにくくなる。
【０００７】
本発明はかかる点に鑑みてなされたものであり、異なる複数の系列から異なるタイミングでデータ列群が送信された場合でも、送信されるデータ列群から希望する系列のタイミングの取得を容易に、且つ、確実に行うことができる送信装置、受信装置および無線通信システムを提供することを目的とする。
【課題を解決するための手段】
【０００８】
本発明の送信装置は、受信側において相関を取ることができる信号を生成する第１生成手段と、受信側において相関を取ることができない信号を生成する第２生成手段と、前記第１生成手段および前記第２生成手段によって生成された信号を、所定の組み合わせパターンに従って時系列に合成する合成手段と、前記合成手段によって合成された信号を送信する送信手段とを有する構成を採る。
【０００９】
この構成によれば、受信側において相関を取ることができる信号と受信側において相関を取ることができない信号とを、所定の組み合わせパターンに従って時系列に合成して送信するため、異なる複数の系列から異なるタイミングでデータ列群が送信された場合でも、受信側では、例えば、送信側が用いた組み合わせパターンに対応する相関処理用の情報を利用することにより、送信されるデータ列群から希望する系列のタイミングの取得を容易に、且つ、確実に行うことができる。
【００１０】
本発明の送信装置は、上記構成において、前記合成手段は、自装置からの信号に基づく相関結果が特徴的となる期間において他の送信装置からの信号に基づく相関結果が特徴的とならないまたは低頻度で特徴的となるような組み合わせパターンに従って、前記信号の合成を行う構成を採る。
【００１１】
この構成によれば、自装置からの信号に基づく相関結果が特徴的となる期間において他の送信装置からの信号に基づく相関結果が特徴的とならないまたは低頻度で特徴的となるため、混在した複数の送信信号が受信側において受信される場合、受信側において相関処理を行う際に、混在する他の送信装置から送信された信号による影響が抑制されるため、送信されるデータ列群の中から希望する系列の相関を容易に、且つ、確実に取得することができる。これにより、受信側で所望の信号に対して確実に同期を確立させることができる。
【００１２】
本発明の送信装置は、上記構成において、前記合成手段は、自装置からの信号に基づく相関結果が特徴的とならない期間において他の送信装置からの信号に基づく相関結果が特徴的となるまたは高頻度で特徴的となるような組み合わせパターンに従って、前記信号の合成を行う構成を採る。
【００１３】
この構成によれば、自装置からの信号に基づく相関結果が特徴的とならない期間において他の送信装置からの信号に基づく相関結果が特徴的となるまたは高頻度で特徴的となるため、混在した複数の送信信号が受信側において受信される場合、受信側で相関処理を行う際に、自装置からの信号に基づく相関結果が特徴的とならない期間において、他の送信装置から送信される信号の影響が大きくなり、他の送信装置からの信号の影響を受けた期間を設けることができる。これにより受信装置に対し、自装置の送信信号に対して相関が取れない期間で、希望する他の送信装置からの信号の系列の相関を容易に、且つ、確実に、取得することができる。
【００１４】
本発明の送信装置は、上記構成において、自装置が属する無線通信システムにおいて、任意の送信装置で用いられる組み合わせパターンと、任意の送信信号または送信装置に割り当てられるパラメータとの対応関係を記憶する記憶手段と、前記記憶手段に記憶された対応関係に従って、割り当てられたパラメータに対応する組み合わせパターンを選択する選択手段と、を有し、前記合成手段は、前記選択手段によって選択された組み合わせパターンに従って、前記信号の合成を行う構成を採る。
【００１５】
この構成によれば、無線通信システムにおいて、任意の送信装置で用いられる組み合わせパターンと、任意の送信信号または送信装置に割り当てられるパラメータとの対応関係に従って、割り当てられたパラメータに対応する組み合わせパターンを選択し、この選択された組み合わせパターンに従って、信号の合成を行い送信する。このため、受信側で対象とする受信した信号の相関処理の推移を確認することで、対象とする送信信号または、送信信号を送信した送信装置に用いられるパラメータを推定することができ、希望とする系列の相関を容易に、且つ、確実に取得することができ、以降の相関処理を確実に行うことができる。
【００１６】
さらに、対象とする送信信号またはこの送信信号を送信した送信装置に用いられるパラメータを、受信側で、信号の合成で用いられた特定の組み合わせパターンを推測できる情報とした場合、このパターンを用いて、希望する系列の信号のタイミングを容易に、且つ、確実に取得することができ、以降の相関処理を確実に行うことができる。
【００１７】
本発明の受信装置は、上記構成の送信装置から送信された信号を受信する受信手段と、前記送信装置で用いられる組み合わせパターンに対応する相関処理用の間隔を記憶する第１記憶手段と、受信された信号に対して、前記第１記憶手段に記憶された間隔に従って相関処理を行う相関手段と、前記相関手段の相関処理結果に基づいて、信号のタイミングを推定する第１推定手段とを有する構成を採る。
【００１８】
この構成によれば、上記構成の送信装置から送信された信号を受信し、この受信した信号に対して、送信装置で用いられる組み合わせパターンに対応する相関処理用の間隔に従って、相関処理を行い、その相関結果に基づいて、受信した希望する信号のタイミング、つまり信号の開始位置、を推定するため、異なる複数の系列から異なるタイミングでデータ列群が送信された場合でも、送信されるデータ列群から希望する系列のタイミングの取得を容易に、且つ、確実に行うことができる。
【００１９】
本発明の受信装置は、上記構成において、自装置が属する無線通信システムにおいて、任意の送信装置で用いられる組み合わせパターンと、任意の送信信号または送信装置に割り当てられるパラメータとの対応関係を記憶する第２記憶手段と、前記相関手段の相関処理結果および前記記憶手段に記憶された対応関係に基づいて、前記パラメータを推定する第２推定手段と、をさらに有する構成を採る。
【００２０】
この構成によれば、対象とする送信信号に対して、の合成で用いられた組み合わせパターンと、無線通信システムで用いられる送信信号系列または送信装置自体に割り当てられるパラメータと、の対応関係が記憶され、受信する信号に対する相関処理結果と、対応関係とに基づいて送信信号系列または送信装置自体に割り当てられるパラメータを推定するため、対象とする送信信号の系列のタイミングを容易に、且つ、確実に取ることができ、以降の希望する信号系列に対する相関処理を確実に行うことができる。
【００２１】
本発明の無線通信システムは、送信装置と受信装置を有する無線通信システムであって、前記送信装置は、前記受信装置において相関を取ることができる信号を生成する第１生成手段と、前記受信装置において相関をとることができない信号を生成する第２生成手段と、前記第１生成手段および前記第２生成手段によって生成された信号を、所定の組み合わせパターンに従って時系列に合成する合成手段と、前記合成手段によって合成された信号を送信する送信手段と、を有し、前記受信装置は、前記送信装置から送信された信号を受信する受信手段と、前記送信装置で用いられる組み合わせパターンに対応する相関処理用の間隔を記憶する記憶手段と、受信された信号に対して、前記記憶手段に記憶された間隔に従って相関処理を行う相関手段と、前記相関手段の相関処理結果に基づいて、信号のタイミングを推定する推定手段とを有する構成を採る。
【００２２】
この構成によれば、送信装置では、受信側で相関を取ることができる信号と受信側で相関を取ることができない信号とを所定の組み合わせパターンに従って時系列に合成して送信し、受信装置では、送信装置から送信された信号を受信し、この受信した信号に対して、送信装置で用いられる組み合わせパターンに対応する相関処理用の間隔に従って相関処理を行い、その結果に基づいて信号のタイミングを推定するため、受信装置では、異なる複数の系列から異なるタイミングでデータ列群が送信された場合でも、送信されるデータ列群から希望する系列のタイミングの取得を容易に、且つ確実に行うことができる。
【発明の効果】
【００２３】
以上説明したように、本発明によれば、異なる複数の系列から異なるタイミングでデータ列群が送信された場合でも、送信されるデータ列群から希望する系列のタイミングの取得を容易に、且つ確実に行うことができる。
【発明を実施するための最良の形態】
【００２４】
本発明の骨子は、送信側で、受信側において相関を取ることができる信号と、受信側において相関を取ることができない信号とを、所定の組み合わせパターンに従って時系列に合成して送信し、受信側で、上記組み合わせパターンに対応する相関処理用の情報を用いて希望する送信信号のタイミングを取得することにより、複数の混在する送信信号から所定の送信信号の同期を確立することである。
【００２５】
以下、本発明の実施の形態について、図面を参照して詳細に説明する。
【００２６】
（実施の形態１）
図１は、本発明に係る無線通信システムを示す全体構成図である。図１に示す無線通信システムは、複数の送信装置１００−１〜１００−ｎと、これら送信装置１００−１〜１００−ｎからの送信信号系列（以下、「送信データ系列」という）を受信できる受信装置１５０とを有する。図２は本発明の実施の形態１に係る送信装置１００の要部構成を示すブロック図である。また、図３は、本発明の実施の形態１に係る受信装置１５０の要部構成を示すブロック図である。
【００２７】
なお、図１における複数の送信装置１００−１〜１００−ｎは、全て同様の基本的構成を有するものである。したがって、これら送信装置１００−１〜１００−ｎのそれぞれを以下では、送信装置１００として説明する。
【００２８】
図２に示す送信装置１００は、第１信号生成部１０１、第２信号生成部１０２、信号合成部１０３、送信部１０４を有する。
【００２９】
第１信号生成部１０１は、受信側で相関を取ることができるデータ列を生成する。ここで、相関を取ることができるデータ列とは、受信側で、相関処理して得られる波形の形が特徴的であるデータ列（以下、「特徴的データ列」という）のことを示す。ここでは、相関処理として、ガードインターバルに対する自己相関処理を例にとって説明する。
【００３０】
特徴的データ列を有する系列データは、この波形ある一点において大きくなること（ピーク）も特徴的であり、二等辺三角形状、のこぎり形状、階段形状、矩形状も特徴的な形といえる。また、例えば、自己相関の計算過程で窓内の大部分のデータ列があるタイミングのみで正方向に加重された際には、正のピークとして現れる。
【００３１】
例えば、自己相関の結果として現れるインパルスの位置を確認することによってガードインターバルの位置検出を行う方法では、ガードインターバルに載せられるデータは仮想的にランダムなデータに近似するため、ガードインターバル上の自己相関特性が特徴的なデータ部分では、自己相関を取ることで正確に重なり合う点でピーク（インパルス）が立つものとなる。
【００３２】
図４は、本実施の形態の無線通信システムにおける自己相関処理取得可能な信号生成と自己相関取得、データ先頭タイミングの取得を示す概略図である。図４に示すように、送信装置１００では、第１信号生成部１０１は、信号合成部１０３に入力される送信データ系列の時間軸上での一部を一定位置にコピーすることで特徴的データ列を生成する。
【００３３】
図４で示す送信装置１００で送信される送信データ系列としては、例えば、ＯＦＤＭ信号ｄ１であり、特徴的データ列は、遅延信号による波形の歪みを解消するためにＯＦＤＭ信号１シンボルｄ２の後半部分ｄ３を当該シンボルの先頭部分にコピーすることにより生成されるガードインターバル（ＧＩ）ｄ４となっている。
【００３４】
第２信号生成部１０２は、第１信号生成部１０１において生成される特徴的データ列とは異なり、第１信号生成部１０１により生成された特徴的データ列に対して受信側で行う相関処理を行った際に、特徴を持つ特性が得られない、つまり、相関結果が、無相関又は負の相関となるデータ列（以下、便宜上「非特徴的データ列」という）を生成する。この非特徴的データ列は、第１信号生成部１０１により生成された特徴的データ列の送信に用いられる同期用チャネルに挿入される。
【００３５】
第２信号生成部１０２による非特徴的データ列の生成方法は、例えば、第１信号生成部１０１と異なり、ガードインターバルを用いる場合でも、送信する信号系列に対して、一部のデータの一定の位置へのコピーを行なわないことで生成する。
【００３６】
また、第２信号生成部１０２は、上述した送信データ系列における特徴的データ列のコピー位置を周期的に割り当てた箇所以外の箇所に変更することで生成する。さらに、第２信号生成部１０２は、上述した送信データ系列の一定の位置にコピーした特徴的データ列の値を反転することで負の相関を持たせることで生成する。
【００３７】
また、第２信号生成部１０２は、強い相関は取れないものの、送信データ系列の持つ位相の連続性を崩さないデータを生成する。これは、ＯＦＤＭ（Orthogonal Frequency Division Multiplexing）に適用しようとする場合、位相の連続性が崩れると、帯域外への干渉電力が上がってしまうためである。具体的には、第２信号生成部１０２は、コピーデータを用いず不連続となる箇所においても、位相の連続性は確保する。また、第２信号生成部１０２は、非特徴的データ列を用いる場合、送信データ系列との接続部にガード（例えば、不連続部ランプガード部）を設ける等する。ここでは、第２信号生成部１０２は、コピーした相関可データをインターリーブ等することにより生成する。ここでは、信号合成部１０３に入力されたデータｄ１において、第１信号生成部１０１により生成された特徴的データ列の値を反転することにより生成している。
【００３８】
信号合成部１０３は、送信される所定のデータ系列が入力され、この入力された所定のデータ系列の一部を用いて第１信号生成部１０１により生成された特徴的データ列および第２信号生成部１０２によって生成された非特徴的データ列を、予め設定された特定の組み合わせパターン（ここでは単一の組み合わせパターン）に基づいて先に入力されたデータに組み合わせ、送信部１０４に出力する。
【００３９】
送信部１０４は、図示しない搬送波によって、特徴的データ列および非特徴的データ列が組み合わされた送信データ系列を送信する。なお、この送信データ系列は、受信装置１５０において復調される。
【００４０】
また、送信部１０４により送信される送信データ系列は、図４において、送信データｄ５で示す。図４では、送信データｄ５の遅延波をｄ５’で示している。また、図４では、送信データｄ５が、受信側で、自己相関処理されることにより得られた値と、この自己相関処理結果に基づいて、推測されたデータの先頭のタイミングを示す。
【００４１】
図３に示す受信装置１５０は、送信装置１００において送信された送信データ系列を受信し、送信装置１００により送信された送信データ系列を受信する受信部１５１と、記憶部１５２と、相関部１５３と、推定部１５４とを有している。
【００４２】
記憶部１５２は、受信の対象とする送信装置１００内の信号合成部１０３において用いられる特定の組み合わせパターン（ここでは単一の組み合わせパターン）とともに、組み合わせパターンに対応する相関処理用の間隔が記憶されている。つまり、記憶部１５２は、受信の対象とする送信装置の送信データ系列から、特徴的データ列および非特徴的データ列の組み合わせ位置、つまり、自己相関処理を行うことができる間隔および自己相関処理を行うことができない間隔を記憶している。
【００４３】
この記憶部１５２が記憶する特定の組み合わせパターンは、対象とする送信装置１００によって送信される信号のタイミングを推定するためのものであり、相関部１５３に出力される。
【００４４】
相関部１５３は、記憶部１５２により記憶された特定の組み合わせパターンに対応する相関処理用の間隔に従って、特徴的データ列および非特徴的データ列が割り当てられた送信データ系列に対して、自己相関処理を行い、その相関結果である自己相関の特性を推定部１５４に出力する。
【００４５】
推定部１５４は、相関部１５３により得られる自己相関の特性、例えば、自己相関のピーク値に基づいて、データの開始位置を推定する（図４参照）。これにより、送信装置１００により送信される送信データ系列に対する同期を確立する。
【００４６】
次に通信システムにおいて受信装置１５０が自己相関特性を取得する方法を説明する。
【００４７】
送信装置１００は、特徴的データ列および非特徴的データ列を生成して、特性の組み合わせパターンに基づいて組み合わせ、搬送波により送信する。
【００４８】
図２に示す送信装置１００−１〜１００−ｎでは、信号合成部１０３は、それぞれ同一ではない組み合わせパターンに基づいて、第１信号生成部１０１により生成された特徴的データ列と、第２信号生成部１０２により生成された非特徴的データ列を組み合わせている。
【００４９】
よって、複数の送信装置１００−１〜１００−ｎは、それぞれ異なるタイミングで、それぞれ異なる送信データ系列からなるデータ列群を送信する。つまり、受信装置１５０に送信される信号は、複数のデータ系列のそれぞれの信号からの自己相関値が重複して存在した状態となっている。
【００５０】
受信装置１５０で、系の異なる送信データ系列が混在する送信データ系列群を受信すると、この受信したデータ列群に対して、相関部１５３は、記憶部１５２に記憶された、特定の組み合わせパターンに対応する相関処理用の間隔に従って、自己相関処理を行う。
【００５１】
このとき、相関部１５３は、異なる複数の系列から異なるタイミングで送信される送信データ系列群から、特定の組み合わせパターンに基づいて対象となる送信装置１００−１からの送信データ系列における自己相関特性を取得する。
【００５２】
そして、相関部１５３は、その相関結果である自己相関の特性を推定部１５４に出力する。次いで、推定部１５４では、特徴的な自己相関特性（例えば、ピーク値）に基づいて、データの開始位置を推定し、対象となる送信データ系列に対する同期を確立する。
【００５３】
このように、本発明の実施の形態１によれば、複数の送信装置１００−１〜１００−ｎのそれぞれの信号合成部１０３で用いられる組み合わせパターンが、複数の送信装置１００−１〜１００−ｎ間で同一でないため、対象とする送信装置、ここでは送信装置１００−１から送信される信号の自己相関特性が特徴的となる期間、つまりピーク値が現れる期間においては、他の送信装置１００−２〜１００−ｎから送信される信号の自己相関特性が特徴的でなくなる。
【００５４】
よって、対象とする送信装置１００−１から送信される信号の自己相関特性のピーク値が検出される期間において複数回の自己相関特性の結果を総和することで、対象とした送信装置からの影響がより顕著に現れることとなる。
【００５５】
したがって、本実施の形態によれば、複数の送信装置１００−１〜１００−ｎといった異なる複数の系列から、それぞれ異なるタイミングでデータ列群が送信された場合でも、受信装置１５０では、送信されるデータ列群から希望する系列のタイミングの取得を容易に、且つ、確実に行うことができる。
【００５６】
なお、本実施の形態の通信システムにおいて、複数の送信装置１００−１〜１００−ｎのそれぞれの信号合成部１０３では、データ列が組み合わされた特定の組み合わせパターンの系が送信されるが、ある系、例えば、送信装置１００−１の系において自己相関が特徴的な特性となる期間では他の系における自己相関特性が特徴的とならないまたは低頻度で特徴的となるように組み合わされる組み合わせパターンとする。
【００５７】
この構成によれば、送信装置１００により送信される信号に対し、他の複数の送信装置１００−２〜１００−ｎから送信される信号に係る自己相関特性が現れ難い間隔が存在する。図５にその一例を示す。
【００５８】
図５は複数のデータ列において相関特性が重なる場合の状態を示す模式図である。図５では、受信装置で受信する所定の送信装置から送信される送信データ系列を、系１、系２で示す。この図５に示す送信データ系列（系１）の自己相関特性が特徴的となる期間ｄ１０では、別のデータ送信系列（系２）の自己相関特性の影響が低いため、相関処理の結果、送信データ系列（系１）での自己相関特性が強く現れている。
【００５９】
このように、図５に示すように、対象とした送信装置１００−１の組み合わせパターンに従い取得される自己相関特性は対象とした送信信号に係る特性の強い、他の送信装置からの影響を抑えたものとなる。
【００６０】
なお、送信装置１００−１に限らず、特定の系の他の送信装置１００−２〜１００−ｎから送信される信号のタイミングを取得する場合、対象とする送信装置１００に、信号合成部１０３で用いる特定の組み合わせパターンを記憶部１５２に記憶させておき、受信装置１５０は、この特定の組み合わせパターンに基づいて、対象とする送信装置から送信される信号の自己相関特性が特徴的に現れる期間において自己相関を取得、または、取得する複数の自己相関結果を加算すれば良い。
【００６１】
さらに、本実施の形態の受信装置１５０の記憶部１５２において、対象とする単一或いは複数の送信装置１００−１〜１００−ｎ内部の信号合成部１０３において用いられる可能性のある複数の組み合わせパターンが記憶されている構成としてもよい。
【００６２】
この場合、受信装置１５０は、対象とする送信装置１００によって送信される信号の、タイミングを推定するための自己相関特性を取得出来ない間隔に従い相関部１５３において相関処理を行う。これにより、対象とする送信装置からの信号とは異なる他の送信装置からの信号のタイミングが推定部１５４において推定できる。
【００６３】
ここで、信号合成部１０３によって組み合わされる特定の組み合わせパターンは、例えば、自己相関が特徴的な特性とならない期間では他の送信装置により送信される系における自己相関特性が特徴的となるまたは高頻度で特徴的となるように組み合わされる組み合わせパターンがある。これらの組み合わせパターンの一例を図６に示す。
【００６４】
図６は、送信される複数の複数のデータ列において相関特性が重なる状態を示す図である。図６では、所定の送信装置から送信されるデータ列を系３とし、他の送信装置から送信されるデータ列を系４とした場合、系３において自己相関特性が特徴的とならない期間ｄ２０では、系４では自己相関特性が特徴的である組み合わせパターンとなっている。
【００６５】
これにより受信側で自己相関処理を行う場合、系１において自己相関特性が特徴的とならない期間では、系１での自己相関特性の影響が低いため、系２での自己相関特性が強く現れることとなる。
【００６６】
この構成によれば、対象とする送信装置から送信される信号に係る自己相関特性が現れ難い間隔に従い自己相関処理を行うため、対象とした送信装置からの影響の抑えられた、他の送信装置の自己相関特性を取得することが出来る。
【００６７】
すなわち、受信側で得られる自己相関特性は、複数の系の自己相関特性の総和となる。ここで、複数の系のタイミングが近しく判別が困難である、又は特定の系の自己相関特性のレベルが大きいために他の系の確認が困難である場合、前記状態の原因となる系の自己相関特性が特徴的とならない期間において、他の系の組み合わせパターンを用いて、他の系の自己相関特性を取得、つまり、希望する系のタイミングを取得することができる。
【００６８】
（実施の形態２）
図７は、本発明実施の形態２に係る送信装置２００の要部構成を示すブロック図である。なお、この図７に示す送信装置２００は、図２に示す実施の形態１における送信装置１００と同様の基本的構成を有しており、同一の構成要素には同一の符号を付し、その説明を省略する。
【００６９】
送信装置２００は、図２に示す送信装置１００と同様の第１信号生成部１０１、第２信号生成部１０２、信号合成部１０３、送信部１０４を有し、これらの構成要素に加えて、さらに、複数の組み合わせパターンを記憶する記憶部２０１、組み合わせパターンを選択する選択部２０２を有している。
【００７０】
記憶部２０１は、信号合成部１０３で用いられる組み合わせパターンと、対象とする通信システムにおいて、送信データ系列あるいは送信データ系列を送信する送信装置１００−１〜１００ｎに割当てられるパラメータとを対応させる対応表を記憶する。この対応表の一例を以下に示す。
【００７１】
【表１】
2005286858.tif 000003
【００７２】
上記表１では、一例として、相関が取れない間隔を割り当てる組み合わせパターン｛１，３，２，６，４，５｝、｛１，５，４，６，２，３｝にパラメータとして拡散率１６、拡散率３２がそれぞれ対応付けられている。つまり、組み合わせパターン｛１，３，２，６，４，５｝が割り当てられた送信データ系列は、受信側において、拡散率１６で復号され、組み合わせパターン｛１，５，４，６，２，３｝は拡散率３２で復号される。なお、パラメータは、ここでは、長期拡散符号を指定する番号としているがこれに限らず、短期拡散符号を指定する番号、変調方式、送信データ系列の優位性を番号として設定してもよい。
【００７３】
選択部２０２は、送信装置２００の有する所定のパラメータが入力され、この入力されたパラメータと、記憶部２０１に記憶される対応表とに基づいて、信号合成部１０３で用いられる組み合わせパターンを指示する。
【００７４】
入力される所定のパラメータとしては、記憶部２０１に記憶される対応表におけるパラメータであり、例えば、長期拡散符号を指定する番号、短期拡散符号を指定する番号、変調方式、データの優位性等が挙げられる。
【００７５】
図８は、送信装置で対応表に基づいて生成された送信データ系列の一例を示す図である。この図に示す信号データ系列は、表１に基づいて、送信装置２００で生成される送信データ系列の一例であり、相関が取れない間隔を割り当てた組み合わせパターン｛１，３，２，６，４，５｝、｛１，５，４，６，２，３｝としている。
【００７６】
図９は、本発明の実施の形態２に係る受信装置２５０の要部構成を示すブロック図である。受信装置２５０は、送信装置２００から送信される信号を受信して復号する。なお、この受信装置２５０は、図３に示す実施の形態１における受信装置と同様の基本的構成を有しており、同一の構成要素には同一の符号を付し、その説明を省略する。
【００７７】
この受信装置２５０は、図３に示す受信装置１５０と同様の受信部１５１、推定部１５４と同様の第１推定部１５４ａ、相関部１５３と基本的に同様の構成である相関部１５３ａとを有する。
【００７８】
受信装置２５０は、先の構成要素に加えて、さらに、第１記憶部１５２ａと、第２記憶部２５１と、相関部１５３ａが有する第２推定部２５２と、第３推定部２５３とを有する。
【００７９】
第１記憶部１５２ａは、対象とする複数の送信装置２００内の信号合成部１０３において用いられる可能性のある単一または複数の組み合わせパターンが、それぞれのパターンを有する送信データ系列に対して、自己相関特性を取得できる間隔とともに記憶されている。
【００８０】
第２記憶部２５１は、送信装置２００内の信号合成部１０３で用いられる組み合わせパターンと、送信データ系列或いは送信装置２００に割当てられるパラメータとを対応させて少なくとも１つ以上、記憶している。ここでは、第２記憶部２５１は、複数の組み合わせパターンとパラメータとが対応付けられた対応表（表１参照）を記憶している。
【００８１】
相関部１５３ａは、第１記憶部１５２ａにおいて記憶される単一または複数の組み合わせパターンを用いて、送信装置２００からの送信データ系列に対して、自己相関特性を取得できる間隔に従って自己相関を行い、自己相関特性の推移を得る。
【００８２】
第２推定部２５２は、相関部１５３ａ内に設けられ、相関部１５３ａで取得した自己相関の推移、つまり、相関結果と、相関部１５３ａが相関処理に用いた第１記憶部１５２ａの組み合わせパターンとを比較し、最も近しいものが、対象とする送信装置２００で用いられた組み合わせパターンであると推定する。
【００８３】
そして、第２推定部２５２は、推定した組み合わせパターンを第３推定部２５３に出力する。また、第２推定部２５２は、推定した組み合わせパターンに対応する自己相関特性を取得できる間隔を第１推定部１５４ａに出力する。
【００８４】
第１推定部１５４ａは、相関部１５３ａ（第２推定部２５２）から入力される自己相関を取得できる間隔に従って、相関部１５３ａ（詳細には、第２推定部２５２）により得られる自己相関の特性、例えば、自己相関のピーク値に基づいて、データの開始位置を推定し、データ列取得タイミングを取得する。これにより、受信装置２５０は、送信装置２００により送信される送信データ系列に対する同期を確立する。
【００８５】
第３推定部２５３は、第２推定部２５２が推定した自己相関特性の組み合わせパターンと第２記憶部２５１の記憶する対応表とから、対象となる送信データ系列のパラメータ或いは対象となる送信装置２００のパラメータを推定する。
【００８６】
この受信装置２５０では、送信装置２００より送信された送信データ系列を受信部１５１で受信し、相関部１５３ａにて、第１記憶部１５２ａに記憶された複数の組み合わせパターンに基づいて自己相関特性を取得できる間隔で、自己相関を行う。
【００８７】
相関部１５３ａでは自己相関処理を行うとともに、この自己相関結果の推移と、第１記憶部１５２ａからの単一または、複数の組み合わせパターンとを比較し、最も近いものが対象となる送信装置２００で用いられた合成パターンであると推定する。
【００８８】
この相関部１５３ａの相関結果に基づいて第１推定部１５４ａでは、対象とする送信装置２００の送信データ系列のタイミングを推定し、第３推定部２５３では、推定した合成パターンと、第２記憶部２５１からの対応表とから、対象とする送信装置２００で送信の際に用いられるパラメータを推定し取得する。なお、対象を送信装置としたが、送信データ系列そのものを対象としても同様に、対象とする送信データ系列のパラメータを推定して取得することができる。
【００８９】
この受信装置２５０の構成によれば、送信装置２００から送信される送信データ系列を受信の対象とした場合、複数の送信装置からの信号が混在した状態において、対象とする送信装置２００で用いられる組み合わせパターンが確定しない場合であっても、用いられる組み合わせパターンを検出することが可能となる。
【００９０】
また、ここで用いる組み合わせパターンが長期的な周期性を保持しているならば、長期に渡るタイミングの取得も可能となる。
【００９１】
このように、ここで用いる組み合わせパターンが、対象とする送信装置特有のものである場合、受信装置２５０は、組み合わせパターンの種類から送信データ系列又は送信装置の内包するパラメータを推定する手段として利用することが可能となる。
【００９２】
また、相関部１５３ａにおいて自己相関特性の推移から広いスパンでの送信データ系列のタイミングや送信データ系列のパラメータ推定も容易に行うことができる。
【００９３】
なお、上記各実施の形態では、特徴的データ列および非特徴的データ列をガードインターバルに適用したものとして説明したが、これに限らず、送信データの一部をコピーし、周期的に挿入されるデータ列やパイロットシンボルに適用してもよい。
【産業上の利用可能性】
【００９４】
本発明に係る送信装置、受信装置および無線通信システムは、複数の送信信号が混在する状態、つまり、異なる複数の系列から異なるタイミングでデータ列群が送信された場合でも、送信されるデータ列群から希望する系列のタイミングの取得を容易に、且つ、確実に行うことができる効果を有し、マルチキャリア伝送方式を用いた無線通信において特に有用である。
【図面の簡単な説明】
【００９５】
【図１】本発明の実施の形態１の送信装置および受信装置を有する無線通信システムの構成を示す全体図
【図２】本発明の実施の形態１に係る送信装置の要部構成を示すブロック図
【図３】本発明の実施の形態１に係る受信装置の要部構成を示すブロック図
【図４】本実施の形態の無線通信システムにおける自己相関処理取得可能な信号生成と自己相関取得、データ先頭タイミングの取得を示す概略図
【図５】複数のデータ列において相関特性が重なる場合の状態を示す模式図
【図６】複数のデータ列において相関特性が重なる場合の状態を示す模式図
【図７】本発明の実施の形態２に係る送信装置の要部構成を示すブロック図
【図８】送信装置で対応表に基づいて生成された送信データ系列の一例を示す図
【図９】本発明の実施の形態２に係る受信装置の要部構成を示すブロック図
【符号の説明】
【００９６】
１００、２００  送信装置
１０１  第１信号生成部
１０２  第２信号生成部
１０３  信号合成部
１０４  送信部
１５０、２５０  受信装置
１５２  記憶部
１５２ａ  第１記憶部
１５３  相関部
１５４  推定部
１５４ａ  第１推定部
２０１  記憶部
２０２  選択部
２５１  第２記憶部
２５２  第２推定部
２５３  第３推定部
【図１】
2005286858.tif 000004
【図２】
2005286858.tif 000005
【図３】
2005286858.tif 000006
【図４】
2005286858.tif 000007
【図５】
2005286858.tif 000008
【図６】
2005286858.tif 000009
【図７】
2005286858.tif 000010
【図８】
2005286858.tif 000011
【図９】
2005286858.tif 000012